(57)【特許請求の範囲】
【請求項１】
１次巻き線および２次巻き線を有する昇圧用トランスと、前記１次巻き線に直列に接続されて電源から前記１次巻き線への通電を制御するスイッチ素子と、前記２次巻き線に接続され前記昇圧用トランスからエネルギーを蓄積するエネルギー蓄積手段とを有し、前記スイッチ素子がオンした際に前記昇圧用トランスに蓄積されたエネルギーを、前記スイッチ素子がオフした際に前記２次巻き線からエネルギー蓄積手段に放出する充電装置であって、
前記エネルギー蓄積手段の充電電圧を検出充電電圧として検出する充電電圧検出手段と、
前記２次巻き線から前記エネルギー蓄積手段にエネルギーを放出している時間を２次側放出時間として計測する放出時間計測手段と、
前記検出充電電圧と前記２次側放出時間とに応じて前記１次巻き線に流れる電流のピーク値を１次側電流ピーク値として算出する電流ピーク値算出手段と、
前記１次巻き線に流れる電流のピーク値を設定する電流ピーク値設定値と前記１次側電流ピーク値とに応じて前記スイッチ素子のオン時間を算出オン時間として算出するスイッチ素子オン時間算出手段と、
前記１次巻き線に流れる電流を測定することなく、前記算出オン時間に応じて前記スイッチ素子をオンオフ制御するスイッチ素子制御手段とを有することを特徴とする充電装置。
【請求項２】
前記電流ピーク値算出手段は、前記検出充電電圧、前記２次巻き線のインダクタンス、前記２次側放出時間、前記２次巻き線の巻き数、および前記１次巻き線の巻き数に応じて前記１次側電流ピーク値を算出することを特徴とする請求項１に記載の充電装置。
【請求項３】
前記スイッチ素子オン時間算出手段は、次回の前記スイッチ素子のオン時間を、前記電流ピーク値設定値、今回のスイッチ素子のオン時間、および前記１次側電流ピーク値に応じて前記算出オン時間として算出することを特徴とする請求項１又は２に記載の充電装置。
【請求項４】
前記検出充電電圧に基づいて前記エネルギー蓄積手段の充電が完了したか否かを判定する判定手段を備え、
前記判定手段によって充電が完了していないと判定されると、前記電流ピーク値算出手段は前記１次側電流ピーク値の算出を行うことを特徴とする請求項１〜３のいずれか１項に記載の充電装置。
【請求項５】
前記スイッチ素子制御手段は、前記１次側電流ピーク値が前記電源の電圧に拘わらず一定となるように前記スイッチ素子をオンオフ制御することを特徴とする請求項１〜４のいずれか１項に記載の充電装置。
【請求項６】
前記スイッチ素子制御手段は、前記２次側放出時間に基づいて得られた前記スイッチ素子のオフ時間に応じて前記スイッチ素子をオンオフ制御することを特徴とする請求項１〜５のいずれか１項に記載の充電装置。
【請求項７】
１次巻き線および２次巻き線を有する昇圧用トランスと、前記１次巻き線に直列に接続されて電源から前記１次巻き線への通電を制御するスイッチ素子と、前記２次巻き線に接続され前記昇圧用トランスからエネルギーを蓄積するエネルギー蓄積手段とを有し、前記スイッチ素子がオンした際に前記昇圧用トランスに蓄積されたエネルギーを、前記スイッチ素子がオフした際に前記２次巻き線からエネルギー蓄積手段に放出する充電装置の制御方法であって、
前記エネルギー蓄積手段の充電電圧を検出充電電圧として検出する充電電圧検出ステップと、
前記２次巻き線から前記エネルギー蓄積手段にエネルギーを放出している時間を２次側放出時間として計測する放出時間計測ステップと、
前記検出充電電圧と前記２次側放出時間とに応じて前記１次巻き線に流れる電流のピーク値を１次側電流ピーク値として算出する電流ピーク値算出ステップと、
前記１次巻き線に流れる電流のピーク値を設定する電流ピーク値設定値と前記１次側電流ピーク値とに応じて前記スイッチ素子のオン時間を算出オン時間として算出するスイッチ素子オン時間算出ステップと、
前記１次巻き線に流れる電流を測定することなく、前記算出オン時間に応じて前記スイッチ素子をオンオフ制御するスイッチ素子制御ステップとを有することを特徴とする制御方法。
【請求項８】
１次巻き線および２次巻き線を有する昇圧用トランスと、前記１次巻き線に直列に接続されて電源から前記１次巻き線への通電を制御するスイッチ素子と、前記２次巻き線に接続され前記昇圧用トランスからエネルギーを蓄積するエネルギー蓄積手段とを有し、前記スイッチ素子がオンした際に前記昇圧用トランスに蓄積されたエネルギーを、前記スイッチ素子がオフした際に前記２次巻き線からエネルギー蓄積手段に放出する充電装置で用いられる制御プログラムであって、
前記充電装置が備えるコンピュータに、
前記エネルギー蓄積手段の充電電圧を検出充電電圧として検出する充電電圧検出ステップと、
前記２次巻き線から前記エネルギー蓄積手段にエネルギーを放出している時間を２次側放出時間として計測する放出時間計測ステップと、
前記検出充電電圧と前記２次側放出時間とに応じて前記１次巻き線に流れる電流のピーク値を１次側電流ピーク値として算出する電流ピーク値算出ステップと、
前記１次巻き線に流れる電流のピーク値を設定する電流ピーク値設定値と前記１次側電流ピーク値とに応じて前記スイッチ素子のオン時間を算出オン時間として算出するスイッチ素子オン時間算出ステップと、
前記１次巻き線に流れる電流を測定することなく、前記算出オン時間に応じて前記スイッチ素子をオンオフ制御するスイッチ素子制御ステップとを実行させることを特徴とする制御プログラム。
【発明の詳細な説明】
【技術分野】
【０００１】
本発明は、ストロボ装置などの発光装置を充電するための充電装置、その制御方法、および制御プログラムに関し、特に、発光装置のメインコンデンサの充電時間を短縮することのできる充電装置に関する。
【背景技術】
【０００２】
一般に、発光装置の１つであるストロボ装置（以下単にストロボと呼ぶ）は発光エネルギーを蓄積するためのメインコンデンサを有している。そして、充電装置によってメインコンデンサを充電して、メインコンデンサに発光エネルギーを蓄積している。
【０００３】
従来、メインコンデンサの充電時間を短縮するため、充電回路の入力電源電圧とメインコンデンサの充電電圧とに応じて充電電流の上限値を設定するようにした充電装置がある。この充電装置では、充電の際の電源電圧降下とメインコンデンサの充電電圧とが最適な組み合わせになるように、充電電流の上限値を制御する。これによって、メインコンデンサ、つまり、ストロボの充電時間を短縮するようにしている（特許文献１参照）。
【先行技術文献】
【特許文献】
【０００４】
【特許文献１】特開２０００−１９４０４１号公報
【発明の概要】
【発明が解決しようとする課題】
【０００５】
ところで、特許文献１に記載の充電装置においては、充電電流の上限値を設定する際、充電回路の入力側に過剰な電流が流れないように電流制限を行う必要がある。さらに、メインコンデンサの充電を行うための昇圧回路の発振を考慮する必要がある。一方、充電時間を短縮するためメインコンデンサの充電電流を制御する際には、昇圧回路の一次巻き線に直列に接続された一次側スイッチ素子のオンオフ制御を最適化する必要がある。
【０００６】
しかしながら、特許文献１のように、充電電流の上限値を設定した際には、昇圧回路の一次巻き線に過剰な電流が流れないように電流制限を行う必要があるので、メインコンデンサの充電時間を十分に短縮することが難しい。一方、一次巻き線に流れる電流を制限しないと、１次側スイッチ素子などに過大な電流が流れて１次側スイッチ素子が破損してしまい、安全上好ましくない。
【０００７】
従って、本発明の目的は安全性を確保しつつ、メインコンデンサの充電時間を短縮することのできる充電装置、制御方法、および制御プログラムを提供することにある。
【課題を解決するための手段】
【０００８】
上記の目的を達成するため、本発明による充電装置は、１次巻き線および２次巻き線を有する昇圧用トランスと、前記１次巻き線に直列に接続されて電源から前記１次巻き線への通電を制御するスイッチ素子と、前記２次巻き線に接続され前記昇圧用トランスからエネルギーを蓄積するエネルギー蓄積手段とを有し、前記スイッチ素子がオンした際に前記昇圧用トランスに蓄積されたエネルギーを、前記スイッチ素子がオフした際に前記２次巻き線からエネルギー蓄積手段に放出する充電装置であって、前記エネルギー蓄積手段の充電電圧を検出充電電圧として検出する充電電圧検出手段と、前記２次巻き線から前記エネルギー蓄積手段にエネルギーを放出している時間を２次側放出時間として計測する放出時間計測手段と、前記検出充電電圧と前記２次側放出時間とに応じて前記１次巻き線に流れる電流のピーク値を１次側電流ピーク値として算出する電流ピーク値算出手段と、前記１次巻き線に流れる電流のピーク値を設定する電流ピーク値設定値と前記１次側電流ピーク値とに応じて前記スイッチ素子のオン時間を算出オン時間として算出するスイッチ素子オン時間算出手段と、前記１次巻き線に流れる電流を測定することなく、前記算出オン時間に応じて前記スイッチ素子をオンオフ制御するスイッチ素子制御手段とを有することを特徴とする。
【０００９】
本発明による制御方法は、１次巻き線および２次巻き線を有する昇圧用トランスと、前記１次巻き線に直列に接続されて電源から前記１次巻き線への通電を制御するスイッチ素子と、前記２次巻き線に接続され前記昇圧用トランスからエネルギーを蓄積するエネルギー蓄積手段とを有し、前記スイッチ素子がオンした際に前記昇圧用トランスに蓄積されたエネルギーを、前記スイッチ素子がオフした際に前記２次巻き線からエネルギー蓄積手段に放出する充電装置の制御方法であって、前記エネルギー蓄積手段の充電電圧を検出充電電圧として検出する充電電圧検出ステップと、前記２次巻き線から前記エネルギー蓄積手段にエネルギーを放出している時間を２次側放出時間として計測する放出時間計測ステップと、前記検出充電電圧と前記２次側放出時間とに応じて前記１次巻き線に流れる電流のピーク値を１次側電流ピーク値として算出する電流ピーク値算出ステップと、前記１次巻き線に流れる電流のピーク値を設定する電流ピーク値設定値と前記１次側電流ピーク値とに応じて前記スイッチ素子のオン時間を算出オン時間として算出するスイッチ素子オン時間算出ステップと、前記１次巻き線に流れる電流を測定することなく、前記算出オン時間に応じて前記スイッチ素子をオンオフ制御するスイッチ素子制御ステップとを有することを特徴とする。
【００１０】
本発明による制御プログラムは、１次巻き線および２次巻き線を有する昇圧用トランスと、前記１次巻き線に直列に接続されて電源から前記１次巻き線への通電を制御するスイッチ素子と、前記２次巻き線に接続され前記昇圧用トランスからエネルギーを蓄積するエネルギー蓄積手段とを有し、前記スイッチ素子がオンした際に前記昇圧用トランスに蓄積されたエネルギーを、前記スイッチ素子がオフした際に前記２次巻き線からエネルギー蓄積手段に放出する充電装置で用いられる制御プログラムであって、前記充電装置が備えるコンピュータに、前記エネルギー蓄積手段の充電電圧を検出充電電圧として検出する充電電圧検出ステップと、前記２次巻き線から前記エネルギー蓄積手段にエネルギーを放出している時間を２次側放出時間として計測する放出時間計測ステップと、前記検出充電電圧と前記２次側放出時間とに応じて前記１次巻き線に流れる電流のピーク値を１次側電流ピーク値として算出する電流ピーク値算出ステップと、前記１次巻き線に流れる電流のピーク値を設定する電流ピーク値設定値と前記１次側電流ピーク値とに応じて前記スイッチ素子のオン時間を算出オン時間として算出するスイッチ素子オン時間算出ステップと、前記１次巻き線に流れる電流を測定することなく、前記算出オン時間に応じて前記スイッチ素子をオンオフ制御するスイッチ素子制御ステップとを実行させることを特徴とする。
【発明の効果】
【００１１】
本発明によれば、安全性を確保しつつ、メインコンデンサなどのエネルギー蓄積手段の充電時間を短縮することができる。
【図面の簡単な説明】
【００１２】
【図１】本発明の実施の形態によるストロボ充電装置の構成についてその一例を示すブロック図である。
【図２】図１に示す昇圧回路の構成についてその一例を説明するための図である。
【図３】図１に示すストロボ充電装置の充電動作を説明するためのフローチャートである。
【発明を実施するための形態】
【００１３】
以下、本発明の実施の形態による充電装置の一例について図面を参照して説明する。なお、ここでは、カメラなどの撮像装置とともに用いられる発光装置の１つであるストロボ装置を充電する際の充電装置（以下ストロボ充電装置と呼ぶ）について説明するが、ストロボ装置に限らず、メインコンデンサを充電してメインコンデンサからの放電によって発光を行う発光装置の充電に適用することができる。
【００１４】
図１は、本発明の実施の形態によるストロボ充電装置の構成についてその一例を示すブロック図である。
【００１５】
図示のストロボ充電装置は、カメラとともに用いられるストロボ装置を充電するために用いられる。このストロボ充電装置は、例えば、ストロボ装置に備えられている。
【００１６】
図１において、電源１０１は、例えば、電池であり、ストロボ充電装置に直流電圧を供給する。この直流電圧は昇圧回路１０２に印加される。昇圧回路１０２は直流電圧を昇圧して出力電圧をメインコンデンサ（エネルギー蓄積手段）１０３に印加して、メインコンデンサ１０３の充電を行う。図示の昇圧回路１０２は、所謂フライバック型の昇圧スイッチング電源回路である。
【００１７】
図２は、図１に示す昇圧回路１０２の構成についてその一例を説明するための図である。
【００１８】
図２において、昇圧回路１０２は昇圧用トランス（電圧変換用トランスとも呼ぶ）３０２を有しており、昇圧用トランス３０２の１次巻き線３０２ａには１次側スイッチ素子３０３が接続されている。一次側スイッチ素子３０３が１次側スイッチ素子制御部１１０によってオンされると、１次巻き線３０２ａには電源１０１から入力電圧が印加され、一次巻き線３０２ａに電流が流れる。これによって、昇圧用トランス３０２にエネルギーが蓄積される。
【００１９】
その後、１次側スイッチ素子３０３が１次側スイッチ素子制御部１１０によってオフされると、昇圧用トランス３０２に蓄積されたエネルギーが２次巻き線３０２ｂから、２次巻き線３０２ｂに直列に接続された２次側整流素子３０４を介してメインコンデンサ１０３に放出される。メインコンデンサ１０３の充電電圧は充電電圧検出部１０５で検出される。
【００２０】
なお、１次スイッチ素子１１０は、後述するようにして、メインコンデンサ１０３の充電電圧が所定の充電完了電圧に到達するまで一次側スイッチ素子３０３のオンオフ制御を繰り返す。
【００２１】
上述のように、昇圧回路１０２において、昇圧用トランス３０２（つまり、１次巻き線３０２ａ）に蓄積されたエネルギーはその２次巻き線３０２ｂから、当該２次巻き線３０２ｂに接続された２次側整流素子３０４を介して、メインコンデンサ１０３に放出される。この際、２次側放出時間計測部（放出時間計測手段）１０４は２次側巻き線３０２ｂからの放出エネルギー（２次側放出エネルギー）がその放出開始からゼロになるまでに要する時間を計測する。そして、２次側放出時間計測部１０４はその計測結果（２次側放出時間）を１次側通電電流ピーク値算出部１０６に出力する。
【００２２】
充電電圧検出部（充電電圧検出手段）１０５はメインコンデンサ１０３の充電電圧をＡ／Ｄ変換して、充電電圧値に応じた充電電圧検出値（デジタル値）を１次側通電電流ピーク値算出部１０６に出力する。１次側通電電流ピーク値算出部１０６には、後述する１次側スイッチ素子オン／オフ時間設定部１０９から１次側スイッチ素子オン／オフ設定時間が与えられる。１次側通電電流ピーク値算出部（電流ピーク値算出手段）１０６は、１次側スイッチ素子オン／オフ設定時間で規定されたオン期間において、後述するようにして、１次巻き線に流れる電流のピーク値（一次巻き線電流ピーク値）を算出して１次側スイッチ素子オン時間算出部１０７に出力する。
【００２３】
１次側スイッチ素子オン時間算出部（スイッチ素子オン時間算出手段）１０７は、１次巻き線電流ピーク値と１次側通電電流ピーク値設定部１０８により設定される１次側通電電流設定値とを比較して、１次側スイッチ素子オン時間を算出する。そして、１次側スイッチ素子オン時間算出部１０７は、当該１次側スイッチ素子オン時間を１次側スイッチ素子オン／オフ時間設定部１０９に出力する。
【００２４】
１次側スイッチ素子オン／オフ時間設定部１０９は、２次側放出時間計測部１０４で計測された２次側放出時間と１次側スイッチ素子オン時間とに基づいて１次側スイッチ素子オン／オフ時間を決定して、１次側スイッチ素子制御部１１０に出力する。１次側スイッチ素子制御部１１０は１次側スイッチ素子オン／オフ時間に基づいて１次側スイッチ素子３０３をオンオフ制御する。
【００２５】
この際、１次側スイッチ素子制御部１１０は、１次側スイッチ素子３０３の通電電流ピーク値が電源電圧に拘わらず一定となるように１次側スイッチ素子３０３をオンオフ制御することになる。
【００２６】
図３は、図１に示すストロボ充電装置の充電動作を説明するためのフローチャートである。
【００２７】
ストロボ充電装置において充電制御が開始されると、まず、１次側スイッチ素子オン／オフ時間設定部１０９は初期設定処理を行う（ステップＳ２００）。ここでは、１次側スイッチ素子オン／オフ時間設定部１０９は１次側スイッチ素子オン／オフ時間について予め設定された初期値を設定して、当該初期値を１次側スイッチ素子制御部１１０に出力する。
【００２８】
１次側スイッチ素子制御部１１０は、上記の初期値が示す１次側スイッチ素子オン時間に基づいて１次側スイッチ素子３０３をオン制御して、昇圧用トランス３０２の１次巻き線３０２ａに通電を行う（ステップＳ２０１）。続いて、１次側スイッチ素子制御部１１０は初期値が示す１次側スイッチ素子オン時間が経過したか否かを判定する（ステップＳ２０２）。
【００２９】
上記の１次側スイッチ素子オン時間が経過していないと（ステップＳ２０２において、ＮＯ）、１次側スイッチ素子制御部１１０は１次側スイッチ素子３０３のオン制御を継続する。一方、１次側スイッチ素子オン時間が経過すると（ステップＳ２０２において、ＹＥＳ）、１次側スイッチ素子制御部１１０は１次側スイッチ素子３０３をオフ制御して、昇圧用トランス３０２の１次巻き線３０２ａに対する通電を停止する（ステップＳ２０３）。
【００３０】
これによって、昇圧用トランス３０２の１次巻き線３２０ａに流れた通電電流に応じて、昇圧用トランス３０２に蓄積されたエネルギーが、昇圧用トランス３０２の２次巻き線３０２ａから２次側整流素子３０４を介してメインコンデンサ１０３に放出される。そして、２次側放出時間計測部１０４は２次側放出時間の計測を開始する（ステップＳ２０４）。
【００３１】
２次側放出時間計測部１０４は、昇圧用トランス３０２の２次巻き線３０２ａからメインコンデンサ１０３へのエネルギーの放出（つまり、２次側放出）が完了したか否かを判定する（ステップＳ２０５）。２次側放出が完了していないと（ステップＳ２０５において、ＮＯ）、２次側放出時間計測部１０４は２次側放出時間の計測を継続する。
【００３２】
２次側放出が完了すると（ステップＳ２０５において、ＹＥＳ）、２次側放出時間計測部１０４は２次側放出時間の計測を完了する（ステップＳ２０６）。そして、充電電圧検出部１０５はメインコンデンサ１０３の充電電圧を検出して、充電電圧検出値（検出充電電圧ともいう）を１次側通電電流ピーク値算出部１０６に与える（ステップＳ２０７）。
【００３３】
続いて、１次側通電電流ピーク値算出部１０６は、充電電圧検出値と所定の充電電圧完了電圧値とを比較して、メインコンデンサ１０３の充電電圧が所定の充電完了電圧に到達したか否かを判定する（ステップＳ２０８）。１次側通電電流ピーク値算出部１０６によってメインコンデンサ１０３の充電電圧が充電完了電圧に到達したと判定されると（ステップＳ２０８において、ＹＥＳ）、図１には示されていないが、１次スイッチ素子制御部１１０は１次側スイッチ素子３０３をオフとして充電制御を終了する。
【００３４】
一方、メインコンデンサ１０３の充電電圧が充電完了電圧に到達していないと（ステップＳ２０８において、ＮＯ）、１次側通電電流ピーク値算出部１０６は、ステップＳ２０１〜Ｓ２０３の間に昇圧用トランス３０２の１次巻き線３０２ａに流れた通電電流のピーク値Ｉ１ｐｋ（１次側電流ピーク値）を、次の式（１）に従って算出する（ステップＳ２０９）。
【００３５】
Ｉ１ｐｋ＝（Ｖｍｃ／Ｌｓ）×Ｔｏｎ２×（Ｎｓ／Ｎｐ）      （１）
なお、式（１）において、Ｉ１ｐｋは昇圧用トランス３０２の１次巻き線３０２ａの通電電流ピーク値を示し、Ｖｍｃはメインコンデンサ１０３の充電電圧（充電検出値）を示す。また、Ｌｓは昇圧用トランス３０２の２次巻き線３０２ｂのインダクタンスを示し、Ｔｏｎ２は２次側放出時間を示す。そして、Ｎｓは昇圧用トランス３０ａの２次巻き線３０２ｂの巻き数を示し、Ｎｐは昇圧用トランス３０２の１次巻き線３０２ａの巻き数を示す。
【００３６】
続いて、１次側スイッチ素子オン時間算出部１０７は、１次側通電電流ピーク値Ｉ１ｐｋと、１次側通電電流ピーク値設定部１０８で設定された１次側通電電流ピーク値設定値とに基づいて、次回の１次側スイッチ素子３０３のオン時間Ｔｏｎ１’（算出オン時間）を、次の式（２）に従って算出する（ステップＳ２１０）。
【００３７】
Ｔｏｎ１’＝Ｉ１ｓｅｔ×（Ｔｏｎ１／Ｉ１ｐｋ）      （２）
なお、式（２）において、Ｔｏｎ１’は次回の１次側スイッチ素子３０３のオン時間を示し、Ｉ１ｓｅｔは１次側通電電流ピーク値設定部１０８によって設定された１次側通電電流ピーク値設定値を示す。また、Ｔｏｎ１は今回の１次側スイッチ素子３０３のオン時間を示し、Ｉ１ｐｋは昇圧用トランス３０２の１次巻き線３０２ａの通電電流ピーク値を示す。
【００３８】
ここで、１次側通電電流ピーク値設定値Ｉ１ｓｅｔは昇圧用トランス３０２に備えられたコアが磁気飽和せず、かつ１次側スイッチ素子３０３の定格電流を超えない値に設定される。これによって、１次側スイッチ素子３０３に過大な電流が流れて１次側スイッチ素子が破損することを防止するとともに、１次側スイッチ素子３０３の通電電流ピーク値が電源電圧によらず一定となるように１次側スイッチ素子３０３のオン時間を制御することが可能となる。
【００３９】
次に、１次側スイッチ素子オン／オフ時間設定部１０９は２次側放出時間に基づいて次回の１次側スイッチ素子３０３のオフ時間を設定するとともに、１次スイッチ素子オン時間Ｔｏｎ１’を次回の１次側スイッチ素子３０３のオン時間として設定する（ステップＳ２１１）。そして、１次側スイッチ素子オン／オフ時間設定部１０９は、ステップＳ２０３における２次側放出開始からの経過時間が予め設定された１次側スイッチ素子オフ時間設定値を経過したか否かを判定する（ステップＳ２１２）。
【００４０】
１次側スイッチ素子オン／オフ時間設定部１０９によって、２次側放出開始からの経過時間が１次側スイッチ素子オフ時間設定値を経過していないと判定されると（ステップＳ２１２において、ＮＯ）、１次側スイッチ素子制御部１１０は１次側スイッチ素子３０３のオフ制御を継続する。１次側スイッチ素子オン／オフ時間設定部１０９によって、２次側放出開始からの経過時間が１次側スイッチ素子オフ時間を経過したと判定されると（ステップＳ２１２において、ＹＥＳ）、１次側スイッチ素子制御部１１０はステップＳ２０１の処理に戻って１次側の通電を開始する。この際には、ステップＳ２１１において設定された１次側スイッチ素子オン／オフ時間が用いられる。そして、メインコンデンサ１０３の充電電圧が充電完了電圧に到達するまで、ステップＳ２０１〜Ｓ２１２までの処理が繰り返される。
【００４１】
このように、本発明の実施の形態によるストロボ充電装置では、１次側スイッチ素子通電電流ピーク値設定部１０８で設定した１次側通電電流ピーク値設定値に応じてメインコンデンサ１０３を充電するようにしたので、１次側スイッチ素子３０３に過大な電流が流れて１次側スイッチ素子３０３が破損することを防止して安全性を確保し、しかも充電時間を短縮することができる。
【００４２】
なお、上述の例では、１次側スイッチ素子３０３の通電電流ピーク値を一定に制御するようにしたが、例えば、電源１０１の電圧（電源電圧）の放電特性および昇圧回路１０２の温度特性を検知して、当該検知結果に基づいて１次側スイッチ素子３０３の通電電流ピーク値を調整するようにしてもよい。
【００４３】
上述の説明から明らかなように、図１に示す例においては、１次側スイッチ素子オン／オフ時間設定部１０９および１次側スイッチ素子制御部１１０がスイッチ素子制御手段として機能する。また、１次側通電電流ピーク値算出部１０６は判定手段として機能する。
【００４４】
以上、本発明について実施の形態に基づいて説明したが、本発明は、これらの実施の形態に限定されるものではなく、この発明の要旨を逸脱しない範囲の様々な形態も本発明に含まれる。
【００４５】
例えば、上記の実施の形態の機能を制御方法として、この制御方法を充電装置に実行させるようにすればよい。また、上述の実施の形態の機能を有するプログラムを制御プログラムとして、当該制御プログラムを充電装置が備えるコンピュータに実行させるようにしてもよい。なお、制御プログラムは、例えば、コンピュータに読み取り可能な記録媒体に記録される。
【００４６】
この際、制御方法および制御プログラムの各々は、少なくとも充電電圧検出ステップ、放出時間計測ステップ、算出ステップ、スイッチ素子オン時間算出ステップ、およびスイッチ素子制御ステップを有することになる。
【００４７】
また、本発明は、以下の処理を実行することによっても実現される。即ち、上述した実施形態の機能を実現するソフトウェア（プログラム）を、ネットワーク又は各種記録媒体を介してシステム或いは装置に供給し、そのシステム或いは装置のコンピュータ（またはＣＰＵやＭＰＵ等）がプログラムを読み出して実行する処理である。
【符号の説明】
【００４８】
１０１  電源
１０２  昇圧回路
１０３  メインコンデンサ
１０４  ２次側放出時間計測部
１０５  充電電圧検出部
１０６  １次側通電電流ピーク値算出部
１０７  １次側スイッチ素子オン時間算出部
１０８  １次側通電電流ピーク値設定部
１０９  １次側スイッチ素子オン／オフ時間設定部
１１０  １次側スイッチ素子制御部
【図１】
0005968075.tif 000002
【図２】
0005968075.tif 000003
【図３】
0005968075.tif 000004